(57)【要約】【課題】  着衣状態で肩パットを適正な位置に保つとともに、脱衣状態で肩パットが脱落しにくくした肩パットの装着構造であり、ごく簡単な手作業で肩パットを着脱可能とし、構成部品が少なくて縫製も簡単で安上がりに実施できるものを提供する。【解決手段】  袖付き衣服の肩裏部において、襟付けから袖付けにかけて肩パット位置決め収納用のポケットを形成する。ポケットの開口は袖付け側に位置して前後方向の開口線を描き、開口線の両端が前身頃側および後身頃側の縫着線につながり、縫着線は襟付け側の頂部に達している。開口線と縫着線で囲まれたポケット形状は、開口線側を底辺に含む大略山形をなし、その最大幅は底辺側にあり、最大幅部分のほぼ中央に最大幅よりすこし短い幅の開口線がある。ポケット形状より小さくてポケット形状に沿った外形線を有する肩パットが開口からポケットに収納される。【選択図】    図１
2005089899.tif 000002
【特許請求の範囲】
【請求項１】
つぎの事項（１）〜（４）により特定される衣服の肩パット装着構造。
（１）袖付き衣服の肩裏部において、襟付けから袖付けにかけて肩パット位置決め収納用のポケットが形成されている。
（２）ポケットの開口は袖付け側に位置して前後方向の開口線を描き、開口線の両端が前身頃側および後身頃側の縫着線につながり、縫着線は襟付け側の頂部に達している。
（３）開口線と縫着線で囲まれたポケット形状は、開口線側を底辺に含む大略山形をなし、その最大幅は底辺側にあり、最大幅部分のほぼ中央に最大幅よりすこし短い幅の開口線がある。
（４）ポケット形状より小さくポケット形状に沿った外形線を有する肩パットが開口からポケットに収納される。
【請求項２】
開口線の幅は底辺側の最大幅の７０％〜９０％である請求項１に記載の衣服の肩パット装着構造。
【請求項３】
開口線は襟付け側に凸となって湾曲している請求項１または２に記載の衣服の肩パット装着構造。
【発明の詳細な説明】
【技術分野】
【０００１】
この発明は衣服の肩パット装着構造に関し、とくに、形状・性状の異なる肩パットを容易に着脱交換することができ、かつ着衣状態で肩パットが容易にずれたりせず、また脱衣状態で肩パットが容易に脱落しない構造に関する。
【背景技術】
【０００２】
同じデザインの衣服であっても、着る人の身体形状や好みに応じて、肩パットの望ましい形状・性状が異なるものである。また同じ人が同じ衣服を身につけるのであっても、インナーの着衣状況（重ね着の状況）によって肩パットの望ましい形状・性状が異なるものである。このようなことを考慮して、肩パットを着脱できるように構成された衣服がある。
【０００３】
特開平１０−３７０１５号公報（文献１）には、着脱可能な肩パット取り付け構造の典型例が開示されている。これは、被服の肩裏に肩パットを入れる袋を設け、この袋内に肩パットを位置決めして止着するために、両者を面ファスナーによって止めるようになっている。この従来構造では、肩パットの位置がきわめて安定するという利点があるものの、面ファスナーという部品が必要となり、また面ファスナーを肩パットおよび裏地側に縫いつける工程が必要で、コスト高になるという欠点がある。また、面ファスナーの付いた肩パットを着脱する操作は、きわめて簡便というほどでもない。
【０００４】
実開平５６−６０７１８号公報（文献２）、実開平６２−１２９００２号公報（文献３）、特開平８−９２８０８号公報（文献４）には、面ファスナーのような止着具を用いない肩パット着脱構造が開示されている。これらは、被服の肩裏部分に肩パットを位置決め収納するためのポケットを設け、ポケットの開口から肩パットを出し入れするようになっている。
【特許文献１】特開平１０−３７０１５号公報
【特許文献２】実開平５６−６０７１８号公報
【特許文献３】実開平６２−１２９００２号公報
【特許文献４】特開平８−９２８０８号公報
【発明の開示】
【発明が解決しようとする課題】
【０００５】
文献２の構造では、肩パット収納ポケットは、衣服の肩裏部における後身頃側（背側）に左右方向の開口線を描いてに開口している。この開口から肩パットをポケット前方に挿入する。これは、肩パットの着脱はしやすいのであるが、肩パットが位置ずれしやすいし、脱落もしやすい。
【０００６】
文献３の構造では、肩パット収納ポケットは、被服の肩裏部の中央において左右方向の開口線を描いて開口している。この開口から前後二つ折り気味にした肩パットをポケットの前後に分け入れるようにする。これは、肩パットの位置決め性能はまずまずであるが、すこし硬めの肩パットを着脱することはかなり困難である。
【０００７】
文献４の構造では、肩パット収納ポケットは、衣服の肩裏部における前身頃側（胸側）および後身頃側（背側）にそれぞれ左右方向に開口線を描く開口が形成されている。前後に対向して２つの開口があるので、開口が大きければ、肩パットをポケットに位置決めしておくことが難しい。従って開口はごく小さい。そのため、十分に柔らかな肩パットでないとポケットに挿入したり取り出したりすることはできず、硬めの肩パットを着脱することはほぼ不可能である。
【０００８】
この発明の目的は、構成部品が少なくて縫製も簡単で安上がりに実施できる肩パット装着構造であって、着衣状態で肩パットを適正な位置に保たれること、脱衣状態で肩パットが脱落しにくいこと、ごく簡単な手作業で肩パットを着脱できること、という性能を満足させることにある。
【課題を解決するための手段】
【０００９】
この発明に係る衣服の肩パット装着構造は、つぎの事項（１）〜（４）により特定されるものである。  
（１）袖付き衣服の肩裏部において、襟付けから袖付けにかけて肩パット位置決め収納用のポケットが形成されている。  
（２）ポケットの開口は袖付け側に位置して前後方向の開口線を描き、開口線の両端が前身頃側および後身頃側の縫着線につながり、縫着線は襟付け側の頂部に達している。  
（３）開口線と縫着線で囲まれたポケット形状は、開口線側を底辺に含む大略山形をなし、その最大幅は底辺側にあり、最大幅部分のほぼ中央に最大幅よりすこし短い幅の開口線がある。  
（４）ポケット形状より小さくてポケット形状に沿った外形線を有する肩パットが開口からポケットに収納される。
【発明の効果】
【００１０】
この発明に係る肩パット装着構造は、ポケットの開口が袖付け側に位置し、ポケット形状は、開口線側を底辺に含むおおよそ山形をなし、その最大幅は底辺側にあり、最大幅部分のほぼ中央に最大幅よりすこし短い幅の開口線が位置する構造となっており、肩パットは袖付け側の開口から襟付け側に向けてポケット内に挿入される。
【００１１】
肩パットがポケットから脱落するのを防止するという観点では、開口線の幅はポケット形状底辺側の最大幅の９０％以下とすることが望ましい。また、肩パットの着脱の容易性の観点では、開口線の幅はポケット形状底辺側の最大幅の７０％以上とすることが望ましい。このようにすることで、十分に広いポケット開口を通じ、柔らかい肩パットはもとより、少し硬目の肩パットであっても極めて容易に着脱することができる。加えて開口線が湾曲していれば、開口から肩パットの袖先部分が突出するため、その部分を手でつまむことができ、着脱はより容易となる。
【００１２】
また着衣状態においては、ポケット開口側は袖付けから下方につながっている袖布によって塞がれた状態になるので、ポケット開口が十分に広くても、肩パットがポケット開口から抜け出すように動くことがない。また脱衣状態においては、衣服の肩部分が自然に縮小したような状態になることと、開口が袖布で塞がれた状態になることにより、肩パットがポケットから脱落してしまうことはほとんど起きない。これらのことは実証的に確認している。なお、面ファスナーのような止着具を用いていないので、低コストで実施できる。
【発明を実施するための最良の形態】
【００１３】
本発明の最良の形態を図面に基づいて説明する。図１は、本発明である肩パット装着構造の位置を、袖付き衣服の正面から表したものである。袖付き衣服１０の肩裏部の、前身頃１１ａから後身頃１１ｂにかけて縫着されている。
【００１４】
図２は、当該袖付き衣服肩裏部の拡大図であり、点線は縫着線を表している。任意の肩パットの大きさに対応する布片が、袖付き衣服１０の肩裏部１２において、襟付け１３から袖付け１４にかけて取り付けられ、肩パットの位置を決める収納ポケット１を形成する。
【００１５】
ポケット１の袖付け側には開口が設けられ、前後方向に開く開口線２が描かれている。開口線２は、両端が前身頃側縫着線３ａと後身頃側縫着線３ｂとに繋がっている。袖付け側において当該縫着線３ａはＬ字型に、３ｂは逆Ｌ字形に折れ曲がって底辺側の一部にまで達している一方、襟先側は３ａ、３ｂとも襟付け側の頂部にまで達している。
【００１６】
ポケット１の形状は、開口線側を底辺とした大略山形であり、底辺側が最も幅広となっている。従って、結果として開口線２は、底辺側の最大幅部分のほぼ中央において、最大幅より少し短い幅に形成されることになる。この開口線２の幅は、底辺側の最大幅の７０％から９０％程度であることが望ましい。更に開口線２は、襟付け側に凸状に湾曲していることが、肩パットの着脱をより容易にする観点から望ましい。
【００１７】
また、収納ポケット１を形成する布片は、柔軟性を有する布で有れば何でもよく、例えば袖付き衣服１０の裏地として使用されるものと全く同一のものを用いても良い。また、肩パットは、横幅が広く設けられていて肩先から下りカーブで落ちる態様となっているドルマンスリーブ型（袖口を広く大きく見せるタイプ）のものが、ポケットに安定しやすく又着脱容易であるため、最も好ましい。
【００１８】
図２は、ポケット１の位置を袖付き衣服１０の正面から示したものであり、図３はポケット１に肩パットを入れた状態の参考図である。
【００１９】
以上のように、最良の実施形態によれば、開口線の幅を広く取ることが出来るため、柔らかい肩パットはもとより、少し硬目の肩パットであっても極めて容易に着脱することが可能となる。更に、開口線の幅を底辺側最大値の７０％〜９０％とすることで、肩パット着脱の容易性を維持しながら、その脱落をも防止することが出来る。また、開口線を襟付け側に凸型に湾曲にすることにより、開口から肩パットの袖先部分が突出するため、その部分を手でつまむことが出来、より一層着脱が容易となる。なお、任意の肩パットの大きさに合わせた布片を衣服に縫着するのみの態様で、別個の部品を要することなく肩パットを脱着を容易にすることが出来るため、コストを低く抑えることが可能となる。
【図面の簡単な説明】
【００２０】
【図１】本発明の衣服の一実施例を示す正面図である。
【図２】袖付き衣服の肩裏部に設けられたポケット部分を示す部分拡大図である。
【図３】肩パットを取り付けた状態の正面図である。
【符号の説明】
【００２１】
１      収納ポケット
２      開口線
３ａ    前身頃側縫着線
３ｂ    後身頃側縫着線
１１ａ  前身頃
１１ｂ  後身頃
１２    肩裏部
１３    襟付け
１４    袖付け
【図１】
2005089899.tif 000003
【図２】
2005089899.tif 000004
【図３】
2005089899.tif 000005